(57)【要約】  第１のカバー（３）と、第２のカバー（４）とを含む、ハウジングフレーム（２）を含む、コンピュータハウジング（１）に関する。第１及び第２のカバー（３，４）は、ハウジングフレーム（２）から取外し可能であり、取り付けられた状態において、外側に対してコンピュータハウジング（１）の内側領域（８，１５）をそれぞれ覆う、外側ハウジング壁のコンポーネントである。第１及び第２のカバー（３，４）は、それぞれ、ハウジングフレーム（２）上の第１及び／又は第２のカバー（３，４）の係合をそれぞれ解除するための作動機構（６，１０）を有する。取り付けられた状態において、第１のカバー（３）は、第２のカバー（４）の作動機構（１０）を隠す。第１のカバー（３）が取り外されるときに、依然として取り付けられている第２のカバー（４）の作動機構（１０）は、外側から作動可能であり、よって、第２のカバーの係合は、解除可能であり、第２のカバー（４）は、ハウジングフレーム（２）から取外し可能である。
2020523702.tif 000002
【特許請求の範囲】
【請求項１】
第１のカバー（３）と、第２のカバー（４）とを含む、ハウジングフレーム（２）を含む、コンピュータハウジング（１）であって、
前記第１及び第２のカバー（３，４）は、前記ハウジングフレーム（２）から取り外し可能であり、取り付けられた状態において、外側に対して当該コンピュータハウジングの内部空間（８，１５）をそれぞれ覆う、外側ハウジング壁のコンポーネントであり、
前記第１及び第２のカバー（３，４）は、それぞれ、前記ハウジングフレーム（２）上の前記第１のカバー又は第２のカバーの係合をそれぞれ解除するための作動機構を含み、
前記第１のカバー及び／又は前記第２のカバーは、それぞれの係合が解除されるときに、前記ハウジングフレームから解放可能であり、
前記第１及び第２のカバーが取り付けられた状態において、前記第１のカバー（３）は、前記第２のカバー（４）の前記作動機構（１０）を隠し、
前記第１のカバー（３）が取り外されるときに、依然として取り付けられている前記第２のカバー（４）の前記作動機構（１０）は、外側から作動可能であり、よって、前記第２のカバーの前記係合は、解除可能であり、前記第２のカバー（４）は、前記ハウジングフレーム（２）から取り外し可能である、
コンピュータハウジング。
【請求項２】
取り付けられた状態において、前記第１のカバーは、前記ハウジングフレームでロックによってロック可能であり、よって、ロック状態において、前記ハウジングフレームから前記第１のカバーを取り外すことは可能でない、請求項１に記載のコンピュータハウジング。
【請求項３】
前記第１のカバーは、前記第１のカバーを取り外すために、前記ハウジングフレームに対して枢動可能であるのに対し、前記第２のカバーは、前記第２のカバーを取り外すために、前記ハウジングフレームに対してスライド可能である、請求項１又は２に記載のコンピュータハウジング。
【請求項４】
前記第２のカバーの前記作動機構は、弾性フラップと、係合手段とを含み、前記取り付けられた状態において、前記弾性フラップは、前記係合手段と係合させられ、前記係合手段との前記弾性フラップの前記係合は、バネ力に対して前記弾性フラップを作動させることによって解除可能である、請求項１乃至３のうちのいずれか１項に記載のコンピュータハウジング。
【請求項５】
前記第２のカバーによって覆われる前記内部空間は、外側に対して前記内部空間内に収容される前記コンポーネントを遮蔽する遮蔽板を含む、請求項１乃至４のうちのいずれか１項に記載のコンピュータハウジング。
【請求項６】
前記遮蔽板は、前記ハウジングフレームで解放可能な締結手段によって固定され、前記遮蔽板は、前記第２のカバーが取り外されるときに、前記締結手段を解放することによって、前記ハウジングフレームから取り外されることができる、請求項５に記載のコンピュータハウジング。
【請求項７】
ハウジングフレームと、該ハウジングフレームから取り外し可能なカバーとを含む、コンピュータハウジングであって、
前記カバーは、外側ハウジング壁のコンポーネントであり、取り付けられた状態において、外側に対して当該コンピュータハウジングの内部空間を覆い、
前記カバーは、前記ハウジングフレームでの前記カバーの係合を解除するための作動機構を含み、前記カバーは、前記係合が解除されるときに、前記ハウジングフレームから取り外し可能であり、
安全ピンが、前記作動機構を前記ハウジングフレームのコンポーネントに連結するように構成され、前記ハウジングフレームの前記コンポーネントは、前記カバーに対して固定され、よって、前記作動機構をあらゆる作動に対してロックし、
前記安全ピンは、解放可能な方法において構成され、前記作動機構は、前記安全ピンが解放されるときに、ロック解除される、
コンピュータハウジング。
【請求項８】
前記取り付けられた状態において、前記安全ピンは、前記作動機構にある開口を通じて前記ハウジングフレームの固定される部分にある開口に貫通し、前記ハウジングフレームの前記固定される部分で前記作動機構を固定する、請求項７に記載のコンピュータハウジング。
【請求項９】
請求項１乃至６のうちのいずれか１項に記載のコンピュータハウジングとして具現される、請求項７又は８に記載のコンピュータハウジングであって、前記解放可能なカバーは、第２のカバーとして構成され、前記安全ピンは、あらゆる作動に対して前記第２のカバーの前記作動機構をそれぞれロックするように構成される、コンピュータハウジング。
【請求項１０】
前記第１及び第２のカバーの前記取り付けられた状態において、前記第１のカバーは、前記安全ピンを隠し、
前記第１のカバーが取り外されるときに、前記安全ピンは、外側から解放可能である、
請求項９に記載のコンピュータハウジング。
【発明の詳細な説明】
【技術分野】
【０００１】
本発明は、ハウジングフレームと、ハウジングフレームから取り外されることがある１つ又は２つのカバーとを含み、１つ又は２つのカバーは、それぞれ、外側ハウジング壁の部分であり、取り付けられた状態において、外側に対して、コンピュータハウジングの内部空間をそれぞれ覆う、コンピュータハウジングに関する。
【背景技術】
【０００２】
有利には、コンピュータハウジングは、コンピュータハウジング内のコンポーネント(構成要素)、例えば、配線、アドオンコンポーネント、ハードディスク、又は任意の他の記憶装置コンポーネントへの容易なアクセスが、ツールを使用する必要なく構成されるように具現される。ここで、外側ハウジング壁から取り外し可能なコンポーネントである、コンピュータハウジングにある１つ又はそれよりも多くのカバーは、コンピュータハウジング又はハウジングフレームから取り外されることがあり、よって、ユーザは、コンピュータハウジングの背後の１つ又はそれよりも多くの内部空間、よって、１つ又はそれよりも多くの内部空間内に配置される任意のコンポーネントにアクセスすることがある。
【０００３】
伝統的な解決策は、カバーが如何なる認可されていない又は偶発的な開放から特別に保護されていない、或いはそれぞれの安全機構の設計が高価である、という欠点を有する。
【発明の概要】
【発明が解決しようとする課題】
【０００４】
ツールを使用することを必要とせずにコンピュータハウジング内のコンポーネントへの容易なアクセスを可能にしながらカバーの望まれない開放を防止する、少なくとも１つの取り外し可能なカバーを含む、上述のタイプのコンピュータハウジングを特定することが、本発明の目的である。
【課題を解決するための手段】
【０００５】
この目的は、請求項１に従ったコンピュータハウジングによって第１の態様において達成される。
【０００６】
コンピュータハウジングは、ハウジングフレームと、第１のカバーと、第２のカバーとを含む。第１及び第２のカバーは、ハウジングフレームから取り外されてよく、取り付けられた状態において、外側に対してコンピュータハウジングの内部空間をそれぞれ覆うことがある、外側ハウジング壁のコンポーネントである。第１及び第２のカバーは、それぞれ、ハウジングフレームでの第１及び第２のカバーの係合をそれぞれ解除するための作動機構を含む。よって、解除された係合の各々において、第１及び／又は第２のカバーは、ハウジングフレームから取り外されることがある。
【０００７】
第１及び第２のカバーが取り付けられた状態において、第１のカバーは、第２のカバーの作動機構を隠す。第１のカバーが取り外されるときに、依然として取り付けられている第２のカバーの作動機構は、外側から作動させられてよく、よって、第２のカバーの係合は、解除されてよく、第２のカバーは、ハウジングフレームから取り外されてよい。
【０００８】
そのようなコンピュータハウジングでは、第１のカバーがハウジングフレームで取り付けられる場合、第１のカバーは、第２のカバーの作動を妨げる(ブロックする)。これは第１及び第２のカバーの取り付け状態において、第１のカバーが第２のカバーの作動機構を隠すような方法において達成される。このようにして、第２のカバーの作動機構は、作動可能でなく、よって、第２のカバーは、ハウジングフレームでの係合から解除されないことがあり、ハウジングフレームから取り外されてよい。このようにして、取り付けられた第１のカバーは、第２のカバーをあらゆる望まれない開放から保護する。第１及び第２のカバー並びに／或いは第１のカバーに対する第２のカバーの作動機構のそのような強制的な結合の故に、第１のカバーがハウジングフレームに取り付けられる場合に、第２のカバーがハウジングフレームから取り外し可能であることが、そのように防止される。よって、提示された解決策は、ハウジングフレームからの望まれない取外しに対する第２のカバーの極めて単純な保護を可能にする。
【０００９】
様々な実施形態において、コンピュータハウジングは、コンピュータの機能性が（実際のディスプレイ又はモニタに加えて）ディスプレイハウジング又はモニタハウジング内に統合される、いわゆるオールインワンコンピュータ(all-in-one  computer)のコンピュータハウジングであってよい。そのようなオールインワンコンピュータは、ますます普及してきている。オールインワンコンピュータでは、所定のコンポーネントを交換するために、或いは所定のコンポーネントでコンピュータシステムをアップグレードするために、ツールを使用することを必要としない、コンピュータハウジング内のコンポーネントへの容易なアクセスが、しばしば要求される。特にオールインワンコンピュータについての使用ケースにおいては、前記使用ケースに限定されないが、上述のコンピュータハウジングは有利である。
【００１０】
第２のカバーによって覆われるコンピュータハウジング内の内部には、専用的な方法において保護されなければならないコンポーネント、例えば、ハードディスク又は他の記憶装置コンポーネントが収容されることが考えられる。第２のカバーは、外側に対してそのような種類のコンポーネントを覆い、よって、第１のカバーがハウジングフレームに取り付けられるときに、前記コンポーネントに対する直接的なアクセスは可能でない。このようにして、第２のカバーによって覆われる内部内のコンポーネントは、簡単な方法において、不正なアクセス又は望まれないアクセスから保護される。
【００１１】
様々な実施形態では、取り付けられた状態において、第１のカバーは、ハウジングフレームでロックによって固定可能であり、よって、第１のカバーは、固定された状態において、ハウジングフレームから取り外されないことがある。これはハウジングフレームで第１のカバーをロックすることを可能にし、よって、第２のカバーも間接的にロックされる。何故ならば、第２のカバーの作動機構は、上述のように、それが作動させられることができず、第２のカバーがハウジングフレームから取り外されることができないように、第１のカバーによって隠されるからである。第１のカバーにあるロックが解除され、よって、第１のカバーが解放されるときにのみ、それは、作動機構を作動させることによって、即ち、第１のカバーの係合を物理的に解除することによって、ハウジングフレームから取り外されてよい。
【００１２】
このようにして、第２のカバーの作動機構は露出され、必要に応じて、第２のカバーをハウジングフレームから取り外すために、適切な方法において作動させられてよい。よって、ロックによって第１のカバーをロックすることによって、第１のカバーを保護するために、そして、第２のカバーも保護するために、コンピュータハウジングの特に安全な構成が保証される。ロックは、例えば、ケンジントンロック(Kensington  lock)である。
【００１３】
様々な実施形態において、第１のカバーは、第１のカバーを取り外すために、ハウジングフレームに対して枢動可能であるのに対し、第２のカバーは、第２のカバーを取り外すために、ハウジングフレームに対して移動可能である。第１及び第２のカバーについて異なる移動軌跡を構成することによって、第１のカバーが取り付けられる場合に、第２のカバーの不正な開放についての操作が防止されることがある。第１のカバーが、例えば、ハウジングフレームで、上述のロックによってロックされるとしても、例えば、第１のカバーを曲げることによる、第１のカバーの部分的に強制的な開放は、それぞれの類似の移動によって第２のカバーも開放位置に強制的に押し込む可能性を必然的にもたらさない。むしろ、第１及び第２のカバーについて異なる移動軌跡を使用することによって、例えば、ツールを使用することによる操作によって、第１のカバーの部分的な移動が強制されるときでさえも、第２のカバーの移動が可能でないことが達成される場合がある。
【００１４】
上述の実施形態に代えて、第１のカバーは、それを取り外すために、ハウジングフレームに対してスライド可能であるのに対し、第２のカバーは、それを取り外すために、ハウジングフレームに対して枢動可能である。
【００１５】
第２の態様によれば、上記目的は、請求項７に従ったコンピュータハウジングによって達成される。
【００１６】
コンピュータハウジングは、ハウジングフレームと、ハウジングフレームから取り外し可能なカバーとを含む。カバーは、外側ハウジング壁のコンポーネントであり、取り付けられた状態において、外側に対してコンピュータハウジングの内部空間をそれぞれ覆う。カバーは、ハウジングフレームでのカバーの係合を解除するための作動機構を含み、カバーは、係合が解除されるときに、ハウジングフレームから取り外されてよい。
【００１７】
加えて、作動機構をハウジングフレームの部分に接続する安全ピンが構成され、ハウジングフレームの部分は、カバーに対して固定され、よって、作動機構をあらゆる作動に対してロックする。安全ピンは、解放可能な方法において構成され、作動機構は、安全ピンが解放されるときに、ロック解除される。
【００１８】
このように構成されるコンピュータハウジングは、カバーの望まれない取外しを防止することがある。安全ピンは、安全ピンの取り付けられた状態における作動機構を作動に対してロックし、よって、ハウジングフレームでの作動機構の係合が解除されないことがあり、カバーはハウジングフレームから取り外されないことがある。むしろ、作動機構は、安全ピンが解放された場合に、即ち、取り外された場合に、作動されることがあるに過ぎない。このようにして、安全ピンは、カバーを取り外すよう作動機構を作動させるために克服されなければならない追加的な安全手段を表す。そのようなコンピュータシステムは安全であるが、取扱いも容易である。
【００１９】
様々な実施形態では、取り付けられた状態において、安全ピンは、作動機構にある開口を通じてハウジングフレームの固定部分(固定される部分)にある開口に貫通し、ハウジングフレームの固定部分で作動機構を固定する。このようにして、安全ピンは、作動機構とハウジングフレームの固定部分との間に安全な接続を作り出し、よって、作動機構は、如何なる作動に対してもロックされる。安全ピンは、安全ピンが開口に差し込まれるときに抵抗を克服し、ハウジングフレームの固定部分にある端位置において係合するように形成されてよく、従って、安全ピンは、ハウジングフレームの固定部分にある前記位置において固定される。例えば、安全ピンは、所定の圧力の力を使用することによってのみハウジングフレームの固定部分の開口内に押し込まれることがある横方向隆起部  (バルジ)(bulge)を含む。代替的に、安全ピンは、ハウジングフレームの固定部分にあるそれぞれのネガ形態(negative  form)に対応し、所定の圧力の力によってハウジングフレームの固定部分にある開口に押し込まれることがあるに過ぎない、横方向凹部を含む。
【００２０】
安全ピンをハウジングフレームの固定部分にある開口内に安全な方法で保持するためにそれぞれの抵抗又は圧力の力を確立するために、例えば、ガスケット、ワッシャ等のような、連結部材が使用されてよい。代替的に又は補完的に、安全ピン及び開口は、キーロック接続(key-lock-connection)としてハウジングフレームの固定部分に構成されてよい。よって、安全ピンは、ハウジングフレームの固定部分にある開口内に所定の位置において挿入され、例えば、捩られ、よって、安全ピンは、開口内のハウジングフレームの固定部分で固定される。この場合、安全ピンは、安全ピンを回転させて第１の初期位置に戻すことによって、ハウジングフレームの固定部分から再び解放されてよい。これは上述の構成の複数の実施形態及び組み合わせを含む。
【００２１】
様々な実施形態において、上述のタイプの第２の態様に従ったコンピュータハウジングは、上述のタイプの第１の態様に従ったコンピュータハウジングとして具現される、ここで、第２の態様によれば、コンピュータハウジングの取り外し可能なカバーは、第１の態様に従ったコンピュータハウジングの第２のカバーとして構成される。安全ピンは、あらゆる作動に対して前記第２のカバーの作動機構をそれぞれロックするように構成される。よって、前記実施形態は、第１及び第２の態様に従った２つのコンピュータハウジングの組み合わせを表す。
【００２２】
よって、前記実施態様において、第２のカバーの作動機構は、２回保護される。第１の保護は、上述のように、取り付けられた状態において、第１のカバーが第２のカバーの作動機構をカバーし、よって、それが外側から作動させらることはないという事実に由来する。第２のカバーの作動機構の第２の保護は、取り付けられた状態において、安全ピンも第２のカバーの作動機構をあらゆる作動に対してロックすることに由来する。このようにして、第２カバーの作動機構は、第１カバーが外されて（第２カバーの作動機構の露出させる）ときにのみ、そして、安全ピンが解放されて（第２カバーの作動機構をロック解除させる）ときにのみ、作動させられることがある。よって、第２のカバーの作動機構は、第２のカバーの望まれない開放に対して、冗長な方法において、特に単純ではあるが効果的な方法において保護される。しかしながら、第２のカバーを取り外すことは、第１のカバーを取り外し、安全ピンを解放することによって、簡単な方法において実施されることがある。
【００２３】
第１及び第２の態様に従って組み合わされたコンピュータハウジングの様々な実施形態では、第１及び第２のカバーの取り付けられた状態において、第１のカバーは、安全ピンを隠し、安全ピンは、第１のカバーが取り外される場合に、外側から解放されることがある。それは、第１のカバーが取り付けられている場合、安全ピンは外側からは解放可能でないことを意味する。何故ならば、第１のカバーは、取り付けられた状態において、ピンを隠すからである。この構成によって、第２のカバーの作動機構は、第１のカバー又は第１のカバーの作動機構での操作の場合に、第２のカバーの望まれない取外しに対して特に保護される。特に、第１のカバーがロックによってロックされているか或いはハウジングフレームで固定されている状態では（上記記述を参照）、このようにして、第２のカバーの操作による開放又は取外しが厳格に妨げられか或いは防止される。
【００２４】
よって、第１のカバーとハウジングフレームとの間の小さな間隙が、（例えば、第１のカバーのプラスチック材料の可撓性の故に）（例えば、平鋼又はネジ回しによって）それぞれのツールを用いてロックされた或いは固定された第１のカバーで開放されるときでさえも、第２のカバーの作動機構の作動は、（例えば、可撓性平鋼又は同等物のようなツールを用いて）同様に可能になるが、安全ピンは、外側からの依然として取り付けられた第２のカバーの作動機構のそれぞれの作動を妨げる。何故ならば、安全ピンは、安全ピンが解放されないように（操作にも拘わらず）第１のカバーによって隠されたままであるからである。好ましくは、コンピュータハウジングは、第１のカバーが完全に開放されるか或いは取り外されるときに、安全ピンが取り外されることがあるに過ぎないように構成される。このようにして、上述の操作可能性は、更に妨げられる。
【００２５】
更に有利な態様及び構成が、それぞれの従属項に開示されている。
【００２６】
複数の図面を参照して、例示的な実施形態によって、本発明を以下に記載する。
【図面の簡単な説明】
【００２７】
【図１】第１の状態におけるコンピュータハウジングの斜視図を示している。
【図２】第２の状態における図１に従ったコンピュータハウジングを示している。
【図３】第３の状態における図１及び図２に従ったコンピュータハウジングを示している。
【図４】第１の状態におけるコンピュータハウジングの更なる実施形態を示している。
【図５】第２の状態における図４に従ったコンピュータハウジングを示している。
【発明を実施するための形態】
【００２８】
図１は、前記実施形態において具体化されたコンピュータハウジング１を、オールインワンコンピュータ(all-in-one  computer)のコンピュータハウジングとして示している。それは、コンピュータハウジング１が、スタンド５を含むディスプレイ又はモニタとして具現され、ディスプレイ又はモニタのディスプレイユニットに加えて、コンピュータの専用コンポーネントが、コンピュータハウジング１内に一体化されることを意味する。このようにして、システムは、モニタリング又はディスプレイのハウジングに直接的に一体化されるコンピュータを提供する。しかしながら、代替的な実施形態において、コンピュータハウジング１は、例えば、デスクトップコンピュータハウジングとして或いはサーバハウジング又は同等物として構成されてもよい。
【００２９】
図１に従ったコンピュータハウジング１は、ハウジングフレームと、第１のカバー３と、第２のカバー４とを含む。第１及び第２のカバー３，４は、それぞれ、ハウジングフレーム２から取り外されてよく、コンピュータハウジングのコンポーネントを収容するコンピュータハウジング１の内部空間を隠してよい。例えば、第１のカバー３は、ケーブル、ケーブルポート又はプラグを収容するための内部空間を隠すのに対し、第２のカバーは、ハードディスク、ディスクドライブ又は他の記憶装置コンポーネントを収容するための内部空間を覆う。これは以下の図において詳述される。
【００３０】
第１のカバー３は、図１に従った作動機構６によって作動させられてよい。作動機構６を作動させることによって、ハウジングフレーム２での第１のカバー３の係合が解除されることがあり、よって、第１のカバー３は、ハウジングフレーム２から取り外されることがある。例えば、作動機構６は、ユーザが作動してよいハンドル又はレバーである。作動機構６は、例えば、バネによって具現されてよく、よって、第１のカバー３は、図１に示す、閉状態又は取付け状態において安定的な端位置に係合する。バネ力に抗して作動機構６を作動させると、前記係合は解除されることがあり、よって、第１のカバー３は、移動させられることがある。図１に従った実施形態において、第１のカバー３は、ハウジングフレーム２に関して枢動可能である。
【００３１】
第１のカバー３は、ハウジングフレーム２でロック７によって固定又はロック(係止)されてよい。図１に従った実施形態において、ロック７は、ケンジントンロック(Kensington  lock)である。よって、ロック７によって、第１のカバー３は、作動機構６を作動させるときでさえも、第１のカバーがハウジングフレーム２でのその係合から取り外されることがないように、或いは極めて少量だけ取り外されることがあるように、ロックされることがある。いずれの場合においても、ロック状態では、第１のカバー３の取外し又は完全な開放がロック７によって防止される。
【００３２】
図１に従ったコンピュータハウジング１は、第１のカバー３が、部分Ｂにおいて第２のカバー４の更なる作動機構（図示せず）を隠す或いは覆うように、更に構成される。このようにして、図１に従った状態において、第２のカバー４は、作動させられないことがある。何故ならば、第１のカバー３は、部分Ｂにおいて第２のカバー４の作動機構を隠すことによって、それぞれの作動を妨げるからである。このようにして、第１のカバー３が図１に従った状態にある場合に、第２のカバー４がハウジングフレーム２でその係合から解放される場合があることや、ハウジングフレーム２から取り外される場合があることが防止される。よって、図１に従ったコンピュータハウジング１は、第１のカバー３が依然として取り付けられているときに、第２のカバー４をハウジングフレーム２からの望ましくない取外しから保護する。これは、例えば、第２のカバー４が、例えば、記憶装置コンポーネントのような、安全上重要なコンポーネントを隠すのに有用であり、記載するタイプの構成的(configurative)実施形態によって、第１のカバー３が閉じられるときに、第２のカバー４の開放が防止されることがあり、よって、外部からの安全上重要なコンポーネントへのアクセスが防止される。このようにして、例えば、第１のカバー３が閉じられているか、或いはロック７によって係合されているにも拘わらず、権限のない(unauthorized)ユーザが第２のカバー４を取り外すことにより、安全上重要なコンポーネントへのアクセスを得ることが、防止されることがある。第１のカバー３及び第２のカバー４の強制的な結合によって、第２のカバー４を保護するための単純であるのみならず効果的である機構が作り出される。
【００３３】
図２は、第２の状態における図１に従ったコンピュータハウジング１を示している。前記状態において、第１のカバー３は、図１に従って取り外される。図２は、図１に従った第１のカバー３によって隠される内部空間８を例示している。内部空間８には、コンピュータハウジング１内の配線の様々なケーブル接続部又はプラグ９が構成されている。前記ケーブル接続部又はプラグ９は、ケーブルによって上述の種類のオールインワンコンピュータのコンポーネントを接続するために使用される。
【００３４】
図２に従った、取り外された第１のカバー３の故に、第２のカバー４の追加的な作動機構１０が露出される。前記動作機構１０は、図２の右側の拡大部分図において詳細に再び例示される。作動機構１０は、ユーザがレバー１３を用いて作動させてよい弾性フラップ１１を含む。図２に例示するような、第２のカバー４の取付け状態において、弾性フラップ１１は、背後から弾性フラップ１１の反対側のエッジと係合するエッジとして図２に従った実施形態において具現された、係合手段１２と係合する。これは、図２に従って例示された第２のカバー４の状態において、弾性フラップ１１がエッジ又は係合手段１２の背後に嵌り込み、第２のカバー４を図示の位置に固定することを意味する。この状態において、第２カバー４の移動は可能でない。例えば、第２のカバー４は、弾性フラップ１１の係合が係合手段１２から解放されるときに、図２に従ったハウジングフレーム２に関して右側にスライド可能であるように構成される。そのような移動は、図２に例示される状態における弾性フラップ１１と係合手段１２との組合せによって防止される。レバー１３を作動させることによって、コンポーネント１１及び１２間の係合接続が（例えば、図２の図面平面からレバー１３をある方向に引くことによって）解除されることがある。この場合、ユーザは、第２のカバー４を、図２に従ってハウジングフレーム２に関して右向きにスライドさせて、ハウジングフレーム２から第２のカバー４を取り外してよい。
【００３５】
図２に示すコンピュータハウジング１の構成では、作動機構１０のあらゆる作動は、追加的に、安全ピン又はピン１４によって保護される。図２に示す状態（特に拡大詳細図参照）において、ピン１４は、それが弾性フラップ１１にある開口２２を通じてハウジングフレーム２の固定部分(固定される部分)にある開口（図示せず）に貫通するように配置される。このようにして、ピン１４は、レバー１３による作動機構１０の作動を阻止する。作動機構１０を作動させるために、第１ピン１４は、カバー４に関して固定されるハウジングフレーム２の部分での作動機構のロックを解除するために、矢印の方向に引き出されなければならない。このようにして、作動機構１０は、取り付けられた状態において、作動機構１０が図１に従って第１のカバー３を隠し、アクセスされないことがあるという事実に加えて、あらゆる望まれない作動から追加的に保護される。更に、そのような状態では、ピン１４も隠され（図１及び図２に従った状態を参照）、よって、第１のカバー３の取付け状態において、ピン１４は、作動機構１０又はハウジングフレーム２とのその係合から解放可能でもない。
【００３６】
よって、ピン１４は、第１のカバー３が図１に従って取り付けられるときに、第１のカバー３がツールによって操作されるときでさえも、レバー１３による作動機構１０の如何なる作動も防止する。第１のカバー３が図１に従ったロック７によってロックされるときでさえも、場合によっては、第１のカバー３とハウジングフレーム２との間に（例えば、第１のカバー３の作動機構に隣接して）小さな間隙が開かれることがある。例えば、権限のないユーザは、第２のカバー４の作動機構１０へのアクセスを得るために、並びに作動機構１０を作動させて第２のカバー４を取り外すために、ロック７によるロックにも拘わらず、それぞれのツール（平鋼(flat  steel)、ネジ回し又は同等物）を使用することによって、第１のカバー３を曲げて上げる(bend  up)ことがある。しかしながら、この場合、ピン１４は、作動機構１０の作動を妨げ、ピン１４は、図２に示す状態において、第１のカバー３が曲げて上げられたときでさえも、ピン１４が外側から解放されないことがあるように位置決めされる。よって、図１及び図２に従ったコンピュータハウジング１の構成は、ロックされて固定された第１のカバー３上での操作のためでさえも、あらゆる望まれない取外しからの第２のカバー４の多層の保護(multi-tier  protection)を表す。
【００３７】
図３は、第１のカバー３及び第２のカバー４の両方がハウジングフレーム２から取り外された、第３の状態におけるコンピュータハウジング１を示している。第２のカバー４を取り外すことは、図２に関して上述したように、ピン１４を取り外すことによって、並びにレバー１３を用いて係合手段１２から弾性フラップ１１を解除することによって、遂行される。
【００３８】
図３では、両方のカバー３及び４が取り外されており、両方の内部空間８及び１５が外側に対して開かれている。図３によれば、内部空間１５は、外側に対して開放されて、アクセスされることがある、受入部１６(reception)を示している。受入部１６は、例えば、ハードディスク又は他のドライブを受け入れるように構成される。受入部１６に加えて、内部空間１５は、背後のコンポーネントを遮蔽するように構成される遮蔽板１７(シールドプレート)を含む更なる部分も含む。遮蔽板１７の背後に配置されるコンポーネントは、例えば、フラッシュメモリのような、記憶装置コンポーネントを含んでよい。前記コンポーネントにアクセスするために、解放可能な締結手段１８が遮蔽板１７から取り外されてよく、よって、遮蔽板１７は取り外されてよい。提供手段１８(offering  means)は、例えば、刻み付きネジ(knurled  screw)である。背後のコンポーネントへの直接的なアクセスに対する追加的な保護に加えて、遮蔽板１７は、背後に配置されるコンポーネントの静電又は電磁シールドを提供する。このようにして、システムの非常に良好な電磁コンプライアンス(electromagnetic  compliance)（ＥＭＶ）が達成されることがある。
【００３９】
図３に例示するように、開口２３は、ピン１４（図２を参照）が前記開口２３からが取り外された後に、図２に従った作動機構１０の受入れの領域において、ハウジングフレーム２の固定される部分で露出される。図３に従って例示されたコンピュータハウジング１の状態では、カバー３及び４の両方が取り外された後に、内部空間８内のコンポーネントへのアクセスが可能であり、コンピュータハウジング１の内部空間１５内のコンポーネントへのアクセスも可能である。例えば、ユーザは、例えば、再度差し込むために、及び／又は内部空間１５内のコンポーネントによってシステムをアップグレードするか或いは内部空間１５内のコンポーネントを交換するために、内部空間８内のケーブル接続部又はプラグ９を構成してよい。
【００４０】
例えば、それぞれの作業を遂行した後に、コンピュータハウジング１を再び閉じるために、先ず、弾性フラップ１１が、図２に従って、背後から係合手段１２と係合し、図２に示す状態に従って嵌り込むまで、第２のカバー４は、図３に従って右側からハウジングフレーム２に押し付けられる。次に、図２に従って、作動機構１０が図２に従って再び固定されるように、ピン１４が、弾性フラップ１１にある開口２２を通じて、開口２３に再び挿入される（図３を参照）。次に、第１のカバー３は、ハウジングフレーム２に再び取り付けられ、図１に示す状態に枢動させられて戻ることにより、図１に従った作動機構６は、ハウジングフレーム２で第１のカバー３と係合する。よって、図１に従った前記状態において、第２のカバー４の作動機構１０及びピン１４は、部分Ｂにおいて第１のカバー３によって再び隠され、よって、第２のカバー４の作動又はピン１４の取外しは可能でない。次に、第１のカバー３は、ロック７によって再びロックされてよく、よって、コンピュータハウジング１の完全なハウジング壁は、冗長な方法において外側からの如何なる望まれないアクセスからも保護される。
【００４１】
図４は、第１のカバー３は既に取り外されているが、第２のカバー４は依然としてハウジングフレーム２にある、コンピュータハウジング１の更なる実施形態を示している。図４に従った実施形態は、ピン１４（図２を参照）による第２のカバー４の作動機構１０の固定が省略されるような方法において、図１〜図３に従った実施形態と異なる。図４の実施形態によれば、第２のカバー４の保護は、取り付けられた状態において、取り付けられた第１のカバー３（図示せず）が、図１に示すように並びに上述のように第２のカバー４の作動機構１０を隠すという事実の故にのみ達成される。
【００４２】
図４に従った実施形態は、コンピュータハウジング１の内部空間８内のケーブル接続部又はプラグ９のケーブルダクトを例示している。これによて、ケーブル１９は、ケーブル接続部又はプラグ９から離れる方向に延び、集中ボードに横方向に接続されるケーブル接続部又はプラグ９からスタンド５の方向に、そして、スタンドから外側に対する開口を有する集中ケーブルダクト２０に向かって、下向きに経路制御(ルーティング)される(routed)。このようにして、ケーブル１９は、ケーブルダクト２０を介して内部空間８から外側に誘導されてよい。スタンド５の追加的な開口２１が、ケーブル１９を、スタンド５を通じてコンピュータハウジング１の後側に向かって経路制御することを可能にする。ケーブル１９は、例えば、内部空間８内で、ケーブル接続部又はプラグ９によってコンピュータハウジング１内のシステムコンポーネントに接続される、周辺デバイスからのケーブルであってよい。このようにして、両方のカバー３及び４の安全な閉鎖の記載された態様に加えて、インテリジェントケーブル経路制御(ルーティング)概念も、コンピュータハウジング１内で実現される。加えて、コンピュータハウジング１内の集中システムボード上に横方向に配置されたケーブル接続部又はプラグ９のセットアップ(構成)は、内部空間８が開放されるときに、ケーブル接続部又はプラグ９並びにそれらのケーブル１９のアクセスが容易であり且つケーブル１９の取扱いが容易であるという利点も提供する。このようにして、ケーブル接続部又はプラグ９は、簡単な方法で差し込まれることがあり、或いは外されることがあり、ケーブル１９は、スタンド５及びモニタのホルダ又はシステムのホルダのための支持体と衝突することなく、経路制御されることがある。ケーブル接続部がスタンド５に向かって下向きに或いは後側に向かって配置される従来的なオールインワンコンピュータ又はモニタと比較して、これは取扱いの向上という利点も提供する。何故ならば、スタンド５はケーブル接続部又はプラグ９と衝突せず、或いはそれぞれの接続を確立するために分解される必要がないからである。
【００４３】
最後に、図５は、第１のカバー３が閉じられ、第１のカバー３がロック７によって再びロックされたときの、図４に従った構成を例示している。ケーブル１９は、ケーブルダクト２０を介してコンピュータハウジング１の外側に経路制御され、スタンド５の開口２１を貫通する。これはコンピュータハウジング１における単純なケーブル管理をもたらす。
【００４４】
例示の実施形態は、例を表しているに過ぎない。しかしながら、既述のコンピュータハウジング１は、内部空間１５内でカバー４の背後に配置されるコンポーネントへのあらゆる望まれないアクセス又は不正なアクセスからのコンピュータハウジング１上のカバー４の単純であるが効果的な保護を可能にする。カバー４は、ここでは、カバー３の取付け状態においてカバー４の作動機構１０がカバー３によって隠されるか或いは作動機構１０の作動がピン１４によってロックされるように、追加的なカバー３によって或いはピン１４によって保護される。カバー４を取り外すためには、追加的なカバー３のみが取り外される必要があるか、或いはピン１４が引き出される必要があり、よって、カバー４の作動機構１０は作動させられ、カバー４はハウジングフレーム２から取り外されることがある。
【００４５】
コンピュータハウジング１の更なる実施形態では、上記の記述に従ってピン１４によって固定されてよいカバー４のみが設けられる。この場合、（カバー４の作動機構１０を隠す）カバー４の追加的な保護のための第２のカバー３は省略されてよい。
【符号の説明】
【００４６】
１    コンピュータハウジング
２    ハウジングフレーム
３    第１のカバー
４    第２のカバー
５    スタンド
６    第１のカバーの作動機構
７    ロック
８    内部
９    ケーブル接続部／プラグ
１０  第２のカバーの作動機構
１１  弾性フラップ
１２  係合手段
１３  レバー
１４  安全ピン
１５  内部
１６  受入部
１７  遮蔽板
１８  締結手段
１９  ケーブル
２０  穴を有するケーブルダクト
２１  スタンド開口
２２  作動機構の開口
２３  ハウジングフレームの固定部分にある開口
Ｂ    オーバーラップゾーン
【図１】
2020523702.tif 000003
【図２】
2020523702.tif 000004
【図３】
2020523702.tif 000005
【図４】
2020523702.tif 000006
【図５】
2020523702.tif 000007
【国際調査報告】
2020523702.tif 000008
2020523702.tif 000009
2020523702.tif 000010
2020523702.tif 000011